(57)【要約】【課題】軽量で製品価値の高い粘土細工用芯材を提供すること。【解決手段】粘土細工用芯材（芯材１０）を、紙粘土または石粉粘土あるいは樹脂粘土で形成する。いずれかの材料で形成する芯材１０を、角棒状芯材１１、丸棒状芯材１２、円筒状芯材１３、板状芯材１４、半球体状芯材１５、半円筒状芯材１６に形成し、これらの芯材１０を複数本まとめてキットとして芯材キット収納箱１８の収納室１８１にそれぞれ収納する。芯材キット収納箱１８から取り出した何れかの芯材１０を組み合わせて粘土細工製品の骨組体として形成し、骨組体に芯材１０と同じ材料の粘土で肉付けする。肉付けされた粘土細工製品をヘラで削って粘土製品を形成し、乾燥して固めることにより粘土細工製品を完成する。【選択図】図２
0003170507.tif 000002
【実用新案登録請求の範囲】
【請求項１】
粘土部材で形成されていることを特徴とする粘土細工用芯材。
【請求項２】
前記粘土部材は、紙粘土又は石粉粘土又は樹脂粘土であることを特徴とする請求項１記載の粘土細工用芯材。
【請求項３】
前記粘土部材が、丸棒状、又は角棒状、又は円筒棒状、又は板状、又は半割れ円筒状、又は半球体状に形成されていることを特徴とする請求項２記載の粘土細工用芯材。
【請求項４】
少なくとも、粘土部材で形成された複数本の、丸棒状粘土細工用芯材、円筒棒状粘土細工用芯材、角棒状粘土細工用芯材、板状粘土細工用芯材を各キットにして箱内に収納したことを特徴とする芯材キット収納箱。
【考案の詳細な説明】
【技術分野】
【０００１】
本考案は、粘土細工に用いられる芯材に関し、さらに各種の形状に形成された芯材を各キットにして箱内に収納する教材用の芯材キット収納箱に関する。
【背景技術】
【０００２】
従来、学校の工作時間に行われる粘土細工では、粘土で各種の形状に形成する際、芯材を利用しない場合や、芯材を使用する場合がある。芯材を使用しない場合には、粘土層部分が厚めになり、厚めの形状のものを形成すると乾くのが遅くなることから、完成するまで時間がかかることになっていた。また、芯材を使用する場合、粘土層部分が薄くなって短時間に乾き易く、また工作もやり易いことから、特に学校の教材として喜ばれていた。従来の芯材としては、特許文献１、２に開示されているような、金属製や樹脂製のものが使用されていた。
【先行技術文献】
【特許文献】
【０００３】
【特許文献１】特開平０８−１４２５９６号公報
【特許文献２】実開平０３−３１７７２号公報
【考案の概要】
【考案が解決しようとする課題】
【０００４】
しかし、金属製の芯材は重く、繰り返し持ち運ぶことに疲労感を生じることとなっていた。また、樹脂製の芯材は軽いものの、製品が壊れたりすると芯材が粘土と別途に現れることから、処分する手間がかかっていた。さらに、いずれの場合においても、粘土以外の芯材が存在することによって製品価値を下げることとなっていた。
【０００５】
本考案は、上述の課題を解決するものであり、軽量で製品価値を高めることができる粘土細工用芯材及び芯材キット収納箱を提供することを目的とする。
【課題を解決するための手段】
【０００６】
本考案に係る粘土細工用芯材及び芯材キット収納箱は、以下のように構成するものである。すなわち、
請求項１記載による考案の粘土細工用芯材は、粘土部材で形成されていることを特徴とするものである。
【０００７】
請求項２記載による考案の粘土細工用芯材は、請求項１の考案に係わるものであって、前記粘土部材は、紙粘土又は石粉粘土又は樹脂粘土であることを特徴としている。
【０００８】
請求項３記載による考案の粘土細工用芯材は、前記粘土部材が、丸棒状、又は角棒状、又は円筒棒状、又は板状、又は半割れ円筒状、又は半球体状に形成されていることを特徴としている。
【０００９】
請求項４記載による考案の芯材キット収納箱は、少なくとも、粘土部材で形成された複数本の、丸棒状粘土細工用芯材、円筒棒状粘土細工用芯材、角棒状粘土細工用芯材、板状粘土細工用芯材を各キットにして箱内に収納したことを特徴とするものである。
【考案の効果】
【００１０】
請求項１の考案の粘土細工用芯材によれば、芯材が粘土部材であり、肉付けする粘土と同一の材料となることから、完成された製品の一部が壊れたときや再製作する場合でも簡単に修正することができる。また、製品を元の粘土の状態に戻すときに、芯材の処分を考慮しないで済むことから手間が省ける。さらに完成された製品は芯材のないものと同様であり製品価値を高めることができる。
【００１１】
請求項２の考案の粘土細工用芯材によれば、粘土部品が紙粘土であれば大きなものであっても軽量で形成された粘土製品を製作することができ、石粉粘土であれば、丈夫な製品を製作することができる。また、樹脂粘土であれば、やはり軽量で丈夫な粘土製品を製作することができる。紙粘土、石粉粘土、樹脂粘土はいずれも市販されているので、廉価で容易に手に入れることができる。
【００１２】
請求項３の考案の粘土細工用芯材が、各種の形状に形成され、しかも棒状であれば、細長状の骨組みとして使用され、板状であれば、幅の広い骨組みとして使用され、半割れ円筒状であれば、人や動物の胴体等に使用される。又、半球体状であれば、人あるいは動物の顔等に使用することができる。
【００１３】
請求項４の考案による芯材キット収納箱によれば、粘土部材で形成された各種の粘土細工用の芯材を集めて各キットとし、各キットを箱内に収納すれば、教材用の芯材キット収納箱として有効に使用することができる。
【図面の簡単な説明】
【００１４】
【図１】各種の芯材を示す斜視図である。
【図２】芯材キットを収納した芯材キット収納箱の一実施形態を示す斜視図である。
【図３】図１における芯材を使用して「馬像」の骨組み状態を示す正面図である。
【図４】図１の芯材のうちいずれかの芯材を使用して「馬像」の粘土細工を行なう一実施形態を示す斜視図である
【図５】「街灯前で待ち合わせする紳士像」の骨組み状態を示す正面図である。
【図６】「街灯前で待ち合わせする紳士像」の一実施形態を示す斜視図である。
【考案を実施するための形態】
【００１５】
以下、本考案の一実施形態を図面に基づいて説明する。
【００１６】
実施形態の粘土細工用芯材（単に芯材とも言う）１０は、紙粘土や石粉粘土又は樹脂粘土を水で濡らして捏ね、捏ねた粘土（紙粘土や石粉粘土又は樹脂粘土）を乾燥させ固めることによって形成したものである。粘土細工用芯材１０は、捏ねれば捏ねるほど丈夫になるから、できれば、時間をかけて捏ねることが望ましい。その形状は、図１に示すように各種に形成されている。例えば、図１（ａ）のものは、細長の角棒状に形成された角棒状芯材（単に芯材とも言う）１１であり、図１（ｂ）のものは、細長の丸棒状に形成された丸棒状芯材（単に芯材とも言う）１２である。図１（ｃ）は細長円筒状に形成された円筒状芯材（単に芯材とも言う）１３であり、図１（ｄ）は直方体の板状に形成された板状芯材（単に芯材とも言う）１４である。さらに、図１（ｅ）は、内部に空間部を有する半球体状に形成された半球状芯材（単に芯材とも言う）１５であり、図１（ｆ）は半割れの円筒状に形成された半円筒状芯材（単に芯材とも言う）１６である。
【００１７】
上記のように形成された粘土細工用芯材１０は、各種の芯材１０（１１〜１６）を一まとめとしたキットとして、図２に示すような芯材キット収納箱１８に収納される。芯材キット収納箱１８は、複数（例えば６箇所）の収納室１８１に区分され、第１の収納室１８１ａには、複数本の角棒状芯材１１が収納され、第２の収納室１８１ｂには複数本の丸棒状芯材１２が収納されている。また、第３の収納室１８１ｃには、複数本の円筒状芯材１３が収納され、第４の収納室１８１ｄには複数枚の板状芯材１４が収納されている。さらに、第５の収納室１８１ｅには複数個の半球体状芯材１５が収納され、第６の収納室１８１ｆには、複数本の半円筒状芯材１６が収納されている。なお、各収納室１８１に収納される各芯材１１〜１６のキットは、同じ大きさのものではなく、長さの異なるものや径の異なるものが混じっていてもよい。
【００１８】
これらの芯材１０は、粘土細工を行なう際の骨組みとして使用される。まず、図２の芯材キット収納箱１８に収納された各収納室１８１から適宜な芯材１０を取り出して骨組みをする。例えば、図４に示すように、「馬像１」の粘土細工を行なう場合、図３に示すような骨組みをする。馬体２の脚部分を形成する４本の脚には、角棒状の芯材１１を「馬像１」の正面側から見た状態(図３における左側視)において八の字状となるように立設し使用し、芯材１１の上端部で馬体２の胴体部分を形成するために４本の芯材１１に直交して水平となるように円筒状の芯材１３を配置する。骨組みされた各芯材１１及び芯材１３は肉付け用の粘土で接着して連結しておく。芯材１３の一方には、馬体２の首部分となる位置に丸棒状の芯材１２を組み付け骨組体２０を形成する。骨組体２０を形成した後、骨組体２０を、支持台２１上に載置する。そして、この骨組体２０に粘土細工用芯材１０と同様の材料で形成された、市販の紙粘土または、石粉粘土あるいは樹脂粘土を使用して十分に捏ねたいずれかの粘土で肉付けする。ある程度の肉付けを行なったあと、円筒状芯材１３の他方の端部付近から馬体２の尻尾部分となる位置に丸棒状芯材１２を配置するとともに馬体２の胴体部分となる一対の半円筒状の芯材１６、１６を円筒状芯材１３の長手方向に沿った両側から配置する。そして、再び全体に肉付けをする。なお、馬体２の顔部分には、馬体２の胴体部分で使用した半円筒状の芯材１６より短く形成した半円筒状の芯材１６を、芯材キット収納箱１８から取り出して丸棒状芯材１２の上端から下傾して配置してもよい。
【００１９】
この肉付けの際、例えば、馬体２の足部分の一部又は全部を屈折させる場合、角棒状芯材１１と肉付け部分とは同じ粘土材料で形成されているため、ヘラを使って、角棒状芯材１１から前方に向かって大きく肉付けをするとともに、その反対側の角棒状芯材１１部分を削り落とすことができる。
【００２０】
次に、図６に示す「街灯前で待ち合わせする紳士像５」を粘土細工する場合、先ず、図５に示すように骨組体２３を形成する。支持台２２上に、細長の棒状の芯材１１〜１３と、その上方に４枚囲うように配置した板状の芯材１４と、を立設して街灯を骨組みする。その後、街灯用の棒状の芯材１１〜１３より短く削った２本の棒状の芯材１１〜１３を立設して紳士７の足部分とし、また、紳士７の胴体部分として中央部に丸棒状芯材１２(又は円筒状芯材１３)及び丸棒状芯材１２の周りに一対の半円筒状芯材１６、１６をその上方に立設して骨組みとする。さらに、半円筒状芯材１６の上部両端から棒状の芯材１１〜１３を垂下して紳士７の手部分とする。この場合の棒状の芯材１１〜１３は、角棒状芯材１１、丸棒状芯材１２でもよく、また円筒状芯材１３でもよい。なお、紳士７の顔部分には、半球体状芯材１５や短く削った半円筒状芯材１６を、紳士７の胴体部分で使用する円筒状芯材１６の上方に載置させてもよく、また、半円筒状芯材１６で骨組みすることなく芯材１０と同じ材料の粘土による肉付けで形成してもよい。そして、このように骨組みされた骨組体２３に芯材１０と同じ材料で形成された粘土により肉付けし、ヘラを使って、街灯６や紳士７に形成する。
【００２１】
図６に示すような、紳士７の手部分を屈曲させる場合は、角棒状芯材１１と肉付け部分とは同じ粘土材料で形成されているため、ヘラを使って、角棒状芯材１１から前方に向かって大きく肉付けをするとともに、その反対側の角棒状芯材１１部分を削り落とすことができる。
【００２２】
図４に示す「馬像１」や図６に示す「街灯前で待ち合わせる紳士像５」のように形成された粘土製品を、熱を噴き付けて乾燥させるか、または自然乾燥させるかして固める。さらに乾燥後、必要に応じて全体を着色してカラフルにした工芸品として形成する。
【００２３】
上述のように、実施形態の芯材１０は、肉付けをする粘土と同様の材料、つまり、紙粘土または石粉粘土あるいは樹脂粘土で形成されているから、内部に異種の材料を含むことがない。例えば、再生するときや壊すとき等、材料の処分をする手間を省くことができる。また、芯材１０を組付けて肉付けをした後、屈曲した部分を削っても、異種の材料が現れずに芯材１０自体を削ることができるから、骨組体２０（または２３）を自由に形成することができる。さらに、粘土材料と異種の材料の芯材を含まないことから、完成された粘土細工製品の製品価値を高めることができる。
【００２４】
また、上述の各種の芯材１０を複数まとめてキットとし、各キットを一つの芯材キット収納箱１８に収納することによって、学校における粘土細工の教材用として使用することができる。
【符号の説明】
【００２５】
１０、粘土細工用芯材
１１、角棒状芯材
１２、丸棒状芯材
１３、円筒状芯材
１４、板状芯材
１５、半球体状芯材
１６、半円筒状芯材
１８、芯材キット収納箱
【図１】
0003170507.tif 000003
【図２】
0003170507.tif 000004
【図３】
0003170507.tif 000005
【図４】
0003170507.tif 000006
【図５】
0003170507.tif 000007
【図６】
0003170507.tif 000008
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
粘土部材で形成され、前記粘土部材が、丸棒状、又は角棒状、又は円筒棒状、又は板状、又は半割れ円筒状、又は半球体状に形成されていることを特徴とする粘土細工用芯材。
【請求項２】
前記粘土部材は、紙粘土又は石粉粘土又は樹脂粘土であることを特徴とする請求項１記載の粘土細工用芯材。
【請求項３】
少なくとも、粘土部材で形成された複数本の、丸棒状粘土細工用芯材、円筒棒状粘土細工用芯材、角棒状粘土細工用芯材、板状粘土細工用芯材を各キットにして箱内に収納したことを特徴とする芯材キット収納箱。
【手続補正２】
【補正対象書類名】明細書
【補正対象項目名】０００６
【補正方法】変更
【補正の内容】
【０００６】
本考案に係る粘土細工用芯材及び芯材キット収納箱は、以下のように構成するものである。すなわち、
請求項１記載による考案の粘土細工用芯材は、粘土部材で形成され、前記粘土部材が、丸棒状、又は角棒状、又は円筒棒状、又は板状、又は半割れ円筒状、又は半球体状に形成されていることを特徴とするものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項３記載による考案の芯材キット収納箱は、少なくとも、粘土部材で形成された複数本の、丸棒状粘土細工用芯材、円筒棒状粘土細工用芯材、角棒状粘土細工用芯材、板状粘土細工用芯材を各キットにして箱内に収納したことを特徴とするものである。
【手続補正５】
【補正対象書類名】明細書
【補正対象項目名】００１０
【補正方法】変更
【補正の内容】
【００１０】
本考案の粘土細工用芯材によれば、芯材が粘土部材であり、肉付けする粘土と同一の材料となることから、完成された製品の一部が壊れたときや再製作する場合でも簡単に修正することができる。また、製品を元の粘土の状態に戻すときに、芯材の処分を考慮しないで済むことから手間が省ける。さらに完成された製品は芯材のないものと同様であり製品価値を高めることができる。
【手続補正６】
【補正対象書類名】明細書
【補正対象項目名】００１１
【補正方法】変更
【補正の内容】
【００１１】
本考案の粘土細工用芯材によれば、粘土部品が紙粘土であれば大きなものであっても軽量で形成された粘土製品を製作することができ、石粉粘土であれば、丈夫な製品を製作することができる。また、樹脂粘土であれば、やはり軽量で丈夫な粘土製品を製作することができる。紙粘土、石粉粘土、樹脂粘土はいずれも市販されているので、廉価で容易に手に入れることができる。
【手続補正７】
【補正対象書類名】明細書
【補正対象項目名】００１２
【補正方法】変更
【補正の内容】
【００１２】
本考案の粘土細工用芯材が、各種の形状に形成され、しかも棒状であれば、細長状の骨組みとして使用され、板状であれば、幅の広い骨組みとして使用され、半割れ円筒状であれば、人や動物の胴体等に使用される。又、半球体状であれば、人あるいは動物の顔等に使用することができる。
【手続補正８】
【補正対象書類名】明細書
【補正対象項目名】００１３
【補正方法】変更
【補正の内容】
【００１３】
本考案による芯材キット収納箱によれば、粘土部材で形成された各種の粘土細工用の芯材を集めて各キットとし、各キットを箱内に収納すれば、教材用の芯材キット収納箱として有効に使用することができる。